(57)【要約】【課題】所定のクロック埋め込みのインターフェースを介して映像データの伝送を行う表示システムにおいて、リンクトレーニングの期間の表示品位の低下を抑える。【解決手段】表示システムは、映像データを送信する送信部と、送信された前記映像データを受信する受信部と、前記映像データの伝送条件を設定するためのリンクトレーニングを実行するリンクトレーニング処理部と、前記伝送条件に従って送信された前記映像データに基づいて画像を表示させる画像処理部と、を含み、前記リンクトレーニング処理部は、前記映像データの伝送レートを第１伝送レートに決定するための第１リンクトレーニングと、前記第１伝送レートから第２伝送レートに切り替えるための第２リンクトレーニングとを実行し、前記第２リンクトレーニングの期間において、前記画像処理部は、記憶部に記憶された所定の映像データに基づいて、前記表示画面に画像を表示させる。【選択図】図４
2018112720.tif 000002
【特許請求の範囲】
【請求項１】
映像データを送信する送信部と、
前記送信部から送信された前記映像データを受信する受信部と、
前記映像データの伝送条件を設定するためのリンクトレーニングを実行するリンクトレーニング処理部と、
前記リンクトレーニングにより設定された前記伝送条件に従って送信された前記映像データに基づいて、表示画面に画像を表示させる画像処理部と、
を含み、
前記リンクトレーニング処理部は、前記送信部から前記受信部に前記映像データを伝送する際の伝送レートを第１伝送レートに決定するための第１リンクトレーニングと、前記第１伝送レートから第２伝送レートに切り替えるための第２リンクトレーニングとを実行し、
前記第２リンクトレーニングの期間において、前記画像処理部は、所定の映像データを記憶する記憶部から該映像データを取得し、取得した該映像データに基づいて、前記表示画面に画像を表示させる、
ことを特徴とする表示システム。
【請求項２】
前記送信部を含む送信装置と、
前記受信部を含み、画像を表示する表示装置と、
前記表示装置の温度を測定する温度センサと、
をさらに含み、
前記送信装置は、前記表示装置の温度に基づいて前記伝送レートを設定する伝送レート設定部をさらに含む、
ことを特徴とする請求項１に記載の表示システム。
【請求項３】
前記伝送レート設定部は、前記表示装置の温度が高い程、前記伝送レートを低く設定する、
ことを特徴とする請求項２に記載の表示システム。
【請求項４】
前記表示システムの電源がオンした直後の前記第１リンクトレーニングにおいて、前記第１伝送レート用の第１設定値と、前記第２伝送レート用の第２設定値とを決定し、
前記リンクトレーニング処理部は、前記第１リンクトレーニングにおいて決定された前記第２設定値を用いて前記第２リンクトレーニングを実行する、
ことを特徴とする請求項１に記載の表示システム。
【請求項５】
前記記憶部には、前記第１伝送レートで伝送された映像データが記憶されており、
前記第２リンクトレーニングの期間において、前記画像処理部は、前記記憶部から取得した前記映像データに対応する画像を静止画として前記表示画面に表示させる、
ことを特徴とする請求項１に記載の表示システム。
【請求項６】
前記送信部と前記受信部とは、ＤＰ（Display Port）規格に準拠したインターフェースを介して互いに接続されている、
ことを特徴とする請求項１に記載の表示システム。
【請求項７】
画像を表示する表示パネルと、
送信装置から送信された映像データを受信する受信部と、
前記映像データの伝送条件を設定するためのリンクトレーニングを実行するリンクトレーニング処理部と、
前記リンクトレーニングにより設定された前記伝送条件に従って送信された前記映像データに基づいて、前記表示パネルに画像を表示させる画像処理部と、
を含み、
前記リンクトレーニング処理部は、前記送信部から前記受信部に前記映像データを伝送する際の伝送レートを第１伝送レートに決定するための第１リンクトレーニングと、前記第１伝送レートから第２伝送レートに切り替えるための第２リンクトレーニングとを実行し、
前記第２リンクトレーニングの期間において、前記画像処理部は、所定の映像データを記憶する記憶部から該映像データを取得し、取得した該映像データに基づいて、前記表示画面に画像を表示させる、
ことを特徴とする表示装置。
【発明の詳細な説明】
【技術分野】
【０００１】
本発明は、表示システム及び表示装置に関する。
【背景技術】
【０００２】
従来、映像データを送信する送信装置（例えば、Source Device）と、映像データを受信して画像を表示する表示装置（例えば、Sink Device）とを互いに接続するインターフェースとして、Display Port（以下、「ＤＰ」と称す）規格が提案されている。ＤＰ規格は、データ伝送の高速化等の利点を有している。また近年、ＤＰ規格を内部インターフェースとして規定した、Embedded Display Port（以下、「ｅＤＰ」と称す）規格が提案されている（例えば特許文献１）。
【０００３】
これらＤＰインターフェース及びｅＤＰインターフェースを含む、ＤＰ規格に準拠したインターフェースを介して互いに接続された、送信装置及び表示装置では、映像データにクロックを埋め込むためにリンクトレーニング（Link Training）が実行される。リンクトレーニングが実行されれば、ユーザによる設定作業が不要になる。
【先行技術文献】
【特許文献】
【０００４】
【特許文献１】特許第５７９９３２０号公報
【発明の概要】
【発明が解決しようとする課題】
【０００５】
近年、送信装置及び表示装置を含む表示システムにおいて、消費電力の低減を図ることが要求されている。表示システムの低消費電力化を図る方法として、例えば、表示システムの電源がオン状態で表示動作が行われているときに、送信装置から表示装置に伝送する映像データの伝送レートを低くすることが考えられる。例えば、表示動作中に表示装置の温度が高温になると動作の信頼性が保てなくなる。そこで、表示装置の温度が高温になると伝送レートを低く設定することが考えられる。ここで、表示動作中に伝送レートを変更した場合、再度リンクトレーニングが実行される。このリンクトレーニングの期間は送信装置から映像データの伝送が行われないため、表示画面には何も表示されず、所謂ブラックアウトが発生し、表示品位が低下するという問題が生じる。
【０００６】
本発明は、上記問題点に鑑みてなされたものであり、その目的は、所定のクロック埋め込みのインターフェースを介して映像データの伝送を行う表示システムにおいて、リンクトレーニングの期間の表示品位の低下を抑えることにある。
【課題を解決するための手段】
【０００７】
上記課題を解決するために、本発明に係る表示システムは、映像データを送信する送信部と、前記送信部から送信された前記映像データを受信する受信部と、前記映像データの伝送条件を設定するためのリンクトレーニングを実行するリンクトレーニング処理部と、前記リンクトレーニングにより設定された前記伝送条件に従って送信された前記映像データに基づいて、表示画面に画像を表示させる画像処理部と、を含み、前記リンクトレーニング処理部は、前記送信部から前記受信部に前記映像データを伝送する際の伝送レートを第１伝送レートに決定するための第１リンクトレーニングと、前記第１伝送レートから第２伝送レートに切り替えるための第２リンクトレーニングとを実行し、前記第２リンクトレーニングの期間において、前記画像処理部は、所定の映像データを記憶する記憶部から該映像データを取得し、取得した該映像データに基づいて、前記表示画面に画像を表示させる、ことを特徴とする。
【０００８】
本発明に係る表示システムでは、前記送信部を含む送信装置と、前記受信部を含み、画像を表示する表示装置と、前記表示装置の温度を測定する温度センサと、をさらに含み、前記送信装置は、前記表示装置の温度に基づいて前記伝送レートを設定する伝送レート設定部をさらに含んでもよい。
【０００９】
本発明に係る表示システムでは、前記伝送レート設定部は、前記表示装置の温度が高い程、前記伝送レートを低く設定してもよい。
【００１０】
本発明に係る表示システムでは、前記表示システムの電源がオンした直後の前記第１リンクトレーニングにおいて、前記第１伝送レート用の第１設定値と、前記第２伝送レート用の第２設定値とを決定し、前記リンクトレーニング処理部は、前記第１リンクトレーニングにおいて決定された前記第２設定値を用いて前記第２リンクトレーニングを実行してもよい。
【００１１】
本発明に係る表示システムでは、前記記憶部には、前記第１伝送レートで伝送された映像データが記憶されており、前記第２リンクトレーニングの期間において、前記画像処理部は、前記記憶部から取得した前記映像データに対応する画像を静止画として前記表示画面に表示させてもよい。
【００１２】
本発明に係る表示システムでは、前記送信部と前記受信部とは、ＤＰ（Display Port）規格に準拠したインターフェースを介して互いに接続されてもよい。
【００１３】
また、上記課題を解決するために、本発明に係る表示装置は、画像を表示する表示パネルと、送信装置から送信された映像データを受信する受信部と、前記映像データの伝送条件を設定するためのリンクトレーニングを実行するリンクトレーニング処理部と、前記リンクトレーニングにより設定された前記伝送条件に従って送信された前記映像データに基づいて、前記表示パネルに画像を表示させる画像処理部と、を含み、前記リンクトレーニング処理部は、前記送信部から前記受信部に前記映像データを伝送する際の伝送レートを第１伝送レートに決定するための第１リンクトレーニングと、前記第１伝送レートから第２伝送レートに切り替えるための第２リンクトレーニングとを実行し、前記第２リンクトレーニングの期間において、前記画像処理部は、所定の映像データを記憶する記憶部から該映像データを取得し、取得した該映像データに基づいて、前記表示画面に画像を表示させる、ことを特徴とする。
【発明の効果】
【００１４】
本発明に係る表示システムによれば、所定のクロック埋め込みのインターフェースを介して映像データの伝送を行う表示システムにおいて、リンクトレーニングの期間の表示品位の低下を抑えることができる。
【図面の簡単な説明】
【００１５】
【図１】本実施形態に係る表示システムの機能的構成を示すブロック図である。
【図２】本実施形態に係る表示装置の測定温度の変化と検出信号の変化とを示すグラフである。
【図３】本実施形態に係る表示システムにおけるデータ伝送処理の動作を示すシーケンス図である。
【図４】本実施形態に係る表示システムにおけるデータ伝送処理の動作を示すタイミングチャートである。
【図５】本実施形態に係る表示システムにおけるデータ伝送処理の動作を示すタイミングチャートである。
【図６】変形例に係る表示システムにおけるデータ伝送処理の動作を示すタイミングチャートである。
【図７】変形例に係る表示システムにおけるデータ伝送処理の動作を示すタイミングチャートである。
【図８】本実施形態に係る液晶表示装置の概略構成を示す平面図である。
【発明を実施するための形態】
【００１６】
本実施形態について、図面を用いて以下に説明する。図１は、本実施形態に係る表示システムの機能的構成を示すブロック図である。本実施形態に係る表示システム１００は、映像データを送信する送信装置１０（例えば、Source Device）と、映像データを受信して画像を表示する表示装置２０（例えば、Sink Device）とを含んでいる。送信装置１０と表示装置２０とは、ＤＰ規格に準拠した所定のインターフェースを介して互いに接続されている。以下では、上記インターフェースの一例として、ｅＤＰインターフェース（eDP_I/F）を挙げて説明する。
【００１７】
送信装置１０は、eDP_I/F１１と、制御部１２と、通信部１３と、メモリ１４と、記憶部１５とを含んでいる。送信装置１０を構成する各ハードウェア要素はバスにより相互にデータの授受が可能に接続されている。eDP_I/F１１は、ＤＰ規格に準拠したコネクタを備えている。通信部１３は、eDP_I/F１１を介して各種データの送受信を行う。例えば、通信部１３は、eDP_I/F１１を介して、映像データを表示装置２０へ送信する。すなわち、通信部１３及びeDP_I/F１１は、映像データを表示装置２０へ送信する送信部としての機能を有する。制御部１２は送信装置１０の各部を制御したり、各種の情報処理を実行したりする。制御部１２は、例えばＣＰＵで構成されてもよい。メモリ１４は、各種のプログラムやデータを保持する。またメモリ１４には、制御部１２の作業領域も確保される。記憶部１５は、映像データを含む各種のデータを記憶する。
【００１８】
制御部１２は、リンクトレーニング処理部１２１と、伝送レート設定部１２２と、出力制御部１２３とを含んでいる。リンクトレーニング処理部１２１は、通信部１３を制御して、ｅＤＰプロトコルに従ってリンクトレーニング（Link Training）を実行し、表示装置２０との間に伝送路を確立（リンクアップ）し、映像データを送受信可能な状態にする。
【００１９】
伝送レート設定部１２２は、送信装置１０から表示装置２０に伝送する映像データの伝送レートを、表示装置２０の状態に応じて設定する。具体的には、伝送レート設定部１２２は、表示装置２０の温度状態を示す検出信号ＤＳ（後述）を表示装置２０から取得し、取得した検出信号ＤＳに基づいて、映像データの伝送レートを設定する。例えば、伝送レート設定部１２２は、伝送レートを５．４Ｇｂｐｓに設定していた場合において、その後に表示装置２０の温度が上昇して第１閾値に達した場合、伝送レートを２．７Ｇｂｐｓに切り替える。また、伝送レート設定部１２２は、伝送レートを２．７Ｇｂｐｓに設定していた場合において、その後に表示装置２０の温度が低下して第２閾値に達した場合、伝送レートを５．４Ｇｂｐｓに切り替える。
【００２０】
リンクトレーニング処理部１２１は、表示システム１００の電源がオンしたときにリンクトレーニングを実行し、また伝送レート設定部１２２により伝送レートが切り替えられたときにリンクトレーニングを実行する。例えば、表示システム１００の電源がオンし、伝送レート設定部１２２により第１伝送レートに設定された場合、リンクトレーニング処理部１２１は、第１伝送レートに対応する第１リンクトレーニングを実行し、その後、伝送レート設定部１２２により第１伝送レートから第２伝送レートに切り替えられた場合、リンクトレーニング処理部１２１は、第２伝送レートに対応する第２リンクトレーニングを実行する。
【００２１】
出力制御部１２３は、リンクトレーニングによりリンクアップした後、表示装置２０に伝送する映像データを、ｅＤＰ規格に準拠したデータ形式の映像データに変換する。また、出力制御部１２３は、映像データの伝送レートが伝送レート設定部１２２により切り替えられた場合は、制御信号ＣＳを上記映像データに付与する（埋め込む）。例えば、表示システム１００がＰＳＲ（Panel Self Refresh）機能を有する場合は、制御信号ＣＳとして、ＰＳＲモードをＯＮ（entry）状態にするための制御信号、すなわち、映像データの出力停止命令を示す第１制御信号ＰＳＲ＿ＯＮ（PSR_entry）を、上記変換された映像データに付与する。尚、ＰＳＲ機能は、例えば、ホストから出力された映像信号が静止画像である場合に、表示モードを通常モードから静止画モード（ＰＳＲモードともいう。）に切り替えて、送信装置１０における映像データの出力動作を停止し、表示装置２０の記憶部に記憶された映像データを用いて表示を行う機能をいう。
【００２２】
出力制御部１２３は、上記映像データを通信部１３に出力する。通信部１３は、出力制御部１２３から取得した映像データを、伝送レート設定部１２２により設定された伝送レートで、ｅＤＰプロトコルに従って、eDP_I/F１１から伝送線３０を介して表示装置２０に伝送する。
【００２３】
リンクトレーニングの具体的な処理内容については後述する。なお、制御部１２は、シリアルデータ及びパラレルデータを相互に変換するデータ変換部や、８ビットのデータを１０ビットのデータに変換する８ｂ／１０ｂエンコーダ等を含んでもよい。
【００２４】
表示装置２０は、eDP_I/F２１と、制御部２２と、通信部２３と、メモリ２４と、記憶部２５と、画像処理部２６と、表示パネル２７と、温度センサ２８と、フレームメモリ２９とを含んでいる。
【００２５】
eDP_I/F２１は、eDP_I/F１１と同様、ＤＰ規格に準拠したコネクタを備えている。通信部２３は、eDP_I/F２１を介して各種データの送受信を行う。例えば、通信部２３は、eDP_I/F２１を介して、送信装置１０から映像データを受信する。すなわち、通信部２３及びeDP_I/F２１は、映像データを受信する受信部としての機能を有する。制御部２２は表示装置２０の各部を制御したり、各種の情報処理を実行したりする。制御部２２は、例えばＣＰＵで構成されてもよい。メモリ２４は、各種のプログラムやデータを保持する。またメモリ２４には、制御部２２の作業領域も確保される。記憶部２５は、映像データを含む各種のデータを記憶する。表示パネル２７は、液晶パネルや有機ＥＬパネル等、各種の表示パネルを適用することができる。
【００２６】
制御部２２は、リンクトレーニング処理部２２１と、状態検出部２２２と、転送制御部２２３とを含んでいる。リンクトレーニング処理部２２１は、通信部２３を制御して、ｅＤＰプロトコルに従ってリンクトレーニングを実行し、送信装置１０との間に伝送路を確立（リンクアップ）し、映像データを送受信可能な状態にする。
【００２７】
状態検出部２２２は、表示装置２０を構成する各部の状態を検出し、検出結果を示す検出信号ＤＳを送信装置１０に出力する。例えば、状態検出部２２２は、表示装置２０が高温状態であるか、又は、低温状態であるかを検出する。具体的には例えば、表示装置２０に設けられた温度センサ２８が、表示パネル２７、各種ドライバ（ソースドライバ、ゲートドライバ等）、各種電子部品、電源（図示せず）等の温度を測定し、状態検出部２２２が温度センサ２８から測定データを受信する。そして、表示装置２０が高温状態にあり、表示装置２０の温度が上昇して第１閾値に達すると、状態検出部２２２は、ハイレベルの検出信号ＤＳを送信装置１０に出力する。また表示装置２０の温度が低下して第２閾値に達すると、状態検出部２２２は、ローレベルの検出信号ＤＳを送信装置１０に出力する。
【００２８】
図２は、表示装置２０の測定温度Ｔ０の変化と、検出信号ＤＳの変化とを示すグラフである。図２に示すように、状態検出部２２２は、例えば、表示装置２０の測定温度Ｔ０が上昇して閾値Ｔｈ（第１閾値）に達すると、ハイレベル（Ｈ）の検出信号ＤＳを送信装置１０に出力し、表示装置２０の測定温度Ｔ０が低下して閾値Ｔｌ（第２閾値）に達すると、ローレベル（Ｌ）の検出信号ＤＳを送信装置１０に出力する。閾値Ｔｈは、例えば表示装置２０の動作保証温度の範囲の上限値を示し、閾値Ｔｌは、表示装置２０の動作保証温度の範囲の下限値を示す。
【００２９】
転送制御部２２３は、送信装置１０から受信した映像データを画像処理部２６に転送する。また転送制御部２２３は、送信装置１０から受信した映像データに制御信号ＣＳ（例えば、第１制御信号ＰＳＲ＿ＯＮ）が付与されている場合は、送信装置１０から受信した映像データを、フレームメモリ２９に転送する。フレームメモリ２９は、送信装置１０から受信した映像データを１フレーム単位で記憶する。尚、フレームメモリ２９は、予め定められた所定の画像に対応する映像データを記憶してもよい。また転送制御部２２３は、上記制御信号ＣＳを取得すると、フレームメモリ２９に記憶されている映像データ（以下、メモリ映像データともいう。）を取得して画像処理部２６に転送する。画像処理部２６は、転送制御部２２３から転送された映像データに対して、各種の画像処理を実行して表示パネル２７に出力する。上記画像処理は、例えば階調補正等、周知の処理を含んでいる。
【００３０】
リンクトレーニング処理部２２１におけるリンクトレーニングの具体的な処理内容については後述する。なお制御部２２は、シリアルデータ及びパラレルデータを相互に変換するデータ変換部と、１０ビットのデータを８ビットのデータに変換する８ｂ／１０ｂデコーダとを含んでもよい。また制御部２２は、一般的なタイミングコントローラとしての機能も有する。
【００３１】
以上のように構成される表示システム１００において、制御部１２，２２に含まれる各要素はメモリ１４，２４に格納されたプログラムをＣＰＵが実行することにより実現される。このプログラムは、ＣＤ−ＲＯＭ、ＤＶＤ−ＲＯＭ、メモリカードなどのコンピュータが読み取り可能な情報記憶媒体から送信装置１０及び表示装置２０にインストールされてもよいし、インターネット等の通信ネットワークから送信装置１０及び表示装置２０にダウンロードされてもよい。
【００３２】
eDP_I/F１１，２１は、相手機器との接続を検出するHot Plug Detect（ＨＰＤ）チャネルと、リンクトレーニング用の制御データ（コマンド）等を伝送する補助（ＡＵＸ）チャネルと、映像データ等のデータを伝送するメインリンクとを含んでいる。メインリンクは、例えば４レーンに設定される。伝送線３０は、ＨＰＤ信号を伝送するＨＰＤラインと、ＡＵＸラインと、メインリンクラインとを含んでいる。ＨＰＤ信号は、表示装置２０のデバイス情報を送信装置１０が取得することを表示装置２０が読み取り要求することを示す信号である。表示装置２０のデバイス情報は、例えば、ＥＤＩＤ（Extended Display Identification Data）である。表示装置２０のＥＤＩＤは、例えば、表示装置２０の識別情報や能力情報等の各種情報を含んでいる。
【００３３】
次に、表示システム１００における、リンクトレーニングを含むデータ伝送処理の動作について説明する。本実施形態に係る表示システム１００におけるリンクトレーニングは、リンクトレーニング処理部１２１，２２１の協働動作により実行される。
【００３４】
図３は、表示システム１００におけるデータ伝送処理の動作を示すシーケンス図である。図４は、表示システム１００におけるデータ伝送処理の動作を示すタイミングチャートである。以下、図３及び図４を参照しつつ、上記データ伝送処理の動作について説明する。
【００３５】
先ず、表示システム１００の電源がオンし、表示装置２０が動作可能状態になると、送信装置１０は表示装置２０からＨＰＤ信号（ハイレベル）を受信する（Ｓ１）。例えば、送信装置１０と表示装置２０とが伝送線３０を介して互いに接続されると、表示装置２０の制御部２２は送信装置１０の接続を検出し、送信装置１０の制御部１２は表示装置２０の接続を検出する。
【００３６】
次に、リンクトレーニング処理部１２１，２２１は、第１リンクトレーニングを実行する（Ｓ２）。第１リンクトレーニングでは、送信装置１０と表示装置２０とが、ＥＤＩＤ、ＤＰＣＤ（DisplayPort Configuration Data）等のデータを送受信することにより、映像データの伝送に使用するレーン数、各レーンのデータ伝送レート等を決定する。ここでは、第１映像データの伝送レートを第１伝送レート（例えば５．４Ｇｂｐｓ）に決定する。第１リンクトレーニングには、表示装置２０が送信装置１０から伝送される信号を正しく受信できるように物理的な信号波形を調整するための処理（クロックリカバリＣＲ、チャンネルイコライジングＥＱ）が含まれている。
【００３７】
例えば、リンクトレーニング処理部１２１は、ＥＤＩＤの読み出し要求を表示装置２０へ送信する。リンクトレーニング処理部２２１は、ＥＤＩＤの読み出し要求を受信し、この要求に応じてＥＤＩＤを送信装置１０へ送信する。リンクトレーニング処理部１２１は、ＥＤＩＤを取得した後、リンク接続要求に応じたＤＰＣＤの読み出し要求を表示装置２０へ送信する。リンクトレーニング処理部２２１は、ＤＰＣＤの読み出し要求を受信し、この要求に応じてＤＰＣＤを送信装置１０へ送信する。図４の“ＴＰＳ１”は、送信装置１０から表示装置２０へ送信される、クロックリカバリ（ＣＲ）用のテストパターン信号を示している。また図４の“ＴＰＳ２”は、送信装置１０から表示装置２０へ送信される、チャンネルイコライジング（ＥＱ）用のテストパターン信号を示している。クロックリカバリＣＲ及びチャンネルイコライジングＥＱの各処理が行われると、これらの設定値がＤＰＣＤに書き込まれる。
【００３８】
リンクトレーニング処理部１２１は、表示装置２０から取得したＥＤＩＤ及びＤＰＣＤに基づいて、使用レーン数及びデータ伝送レートを含む伝送条件を決定し、決定した伝送条件によるデータ伝送が可能か否かを確認する処理を行う。すなわち、リンクトレーニング処理部１２１は、伝送条件と通信状態の確認用のパケットとをリンクトレーニング処理部２２１へ送信する。リンクトレーニング処理部１２１，２２１は、確認用のパケットに基づいて、通信テストを試行する。リンクトレーニング処理部２２１は、上記通信テストの結果と上記伝送条件とを取得して接続を確立し、表示装置２０が映像データを受信可能な状態に移行する。
【００３９】
リンクトレーニング処理部１２１は、上記通信テストの結果を取得して接続を確立し、送信装置１０が映像データを送信可能な状態に移行する。リンクトレーニング処理部１２１，２２１は、上記通信テストにより適切にリンクアップできない場合は、上記伝送条件を変更して第１リンクトレーニングを再度実行する。第１リンクトレーニングは、リンクアップが成功するまで所定回数実行される。第１リンクトレーニングが正常に終了してリンクアップすると、出力制御部１２３は、第１伝送レートによる第１映像データの伝送を開始する（Ｓ３）。尚、第１リンクトレーニングの終了時には、例えばシンボルエラーレートの測定用にアイドルパターン（図４参照）の送信が複数回行われる。
【００４０】
以上のように、第１リンクトレーニングによって伝送条件が決定されて、送信装置１０及び表示装置２０間の伝送条件が設定されると、該伝送条件に従って映像データが伝送される。以上の第１リンクトレーニングの処理は、一例であり、他の周知の方法を適用することもできる。
【００４１】
ここでは、送信装置１０は、第１映像データを第１伝送レート（例えば５．４Ｇｂｐｓ）で表示装置２０に伝送する。表示装置２０は、第１映像データを受信すると、以下の処理により画像を表示する。
【００４２】
表示装置２０の受信部が第１映像データを受信すると、転送制御部２２３が第１映像データを画像処理部２６に転送する。画像処理部２６は、転送制御部２２３から第１映像データを取得すると、周知の画像処理を実行し、表示パネル２７に出力する。表示パネル２７は、画像処理部２６から第１映像データを取得すると、ソースドライバ及びゲートドライバ（図８参照）の動作によって、第１映像データに対応する第１画像を表示画面に表示する。
【００４３】
ここで、送信装置１０から第１伝送レートで伝送された第１映像データに基づいて表示装置２０が第１画像を表示中に、表示装置２０の温度（例えば、ソースドライバＩＣの温度）が上昇して、温度センサ２８による測定温度Ｔ０が時刻ｔ１において閾値Ｔｈ（第１閾値）に達した場合（図２参照）、表示システム１００は以下の処理を実行する。
【００４４】
状態検出部２２２は、温度センサ２８から取得した測定温度Ｔ０が閾値Ｔｈ（第１閾値）に達した場合、ハイレベル（Ｈ）の検出信号ＤＳ（Ｈ）を送信装置１０に出力する（Ｓ４）。尚、送信装置１０が、補助（ＡＵＸ）チャネルにおける通信を利用して上記検出結果（検出信号ＤＳ（Ｈ））を取得してもよい。
【００４５】
送信装置１０は、検出信号ＤＳ（Ｈ）を取得すると、第１伝送レート（例えば５．４Ｇｂｐｓ）を第２伝送レート（例えば２．７Ｇｂｐｓ）に切り替える処理を実行する。具体的には、先ず、出力制御部１２３が、制御信号ＣＳ（第１制御信号ＰＳＲ＿ＯＮ）を埋め込んだ第１映像データを、通信部１３を介して表示装置２０に出力する。これにより、第１制御信号ＰＳＲ＿ＯＮが埋め込まれた第１映像データが表示装置２０に伝送される（Ｓ５）。送信装置１０は、第１制御信号ＰＳＲ＿ＯＮが埋め込まれた第１映像データを出力すると、次フレーム以降の第１映像データの出力動作を停止する（図４のＰＳＲモード）。
【００４６】
表示装置２０が、第１制御信号ＰＳＲ＿ＯＮが埋め込まれた第１映像データを受信すると、転送制御部２２３が、第１制御信号ＰＳＲ＿ＯＮが埋め込まれた第１映像データをフレームメモリ２９に転送する。また転送制御部２２３は、後述する制御信号ＣＳ（第２制御信号ＰＳＲ＿ＯＦＦ）（PSR_exit）が埋め込まれた新たな映像データ（以下、第２映像データという。）を受信するまで、フレームメモリ２９に記憶されている映像データ（メモリ映像データ）を取得して画像処理部２６に転送する。例えば、転送制御部２２３は、第１制御信号ＰＳＲ＿ＯＮが埋め込まれた第１映像データの１フレーム分の映像データ（第１メモリ映像データ）を画像処理部２６に転送する。
【００４７】
画像処理部２６は、転送制御部２２３から第１メモリ映像データを取得すると、周知の画像処理を実行し、表示パネル２７に出力する。表示パネル２７は、画像処理部２６から第１メモリ映像データを取得すると、ソースドライバ及びゲートドライバ（図８参照）の動作によって、第１メモリ映像データに対応する第１メモリ画像を表示画面に表示する。すなわち、表示装置２０は、ＰＳＲモードの期間、第１メモリ画像を例えば静止画として表示する。尚、第１メモリ画像は、静止画に限定されず動画であってもよい。
【００４８】
表示システム１００は、表示装置２０が第１メモリ画像を表示している期間（ＰＳＲモード）に、映像データの伝送レートを第１伝送レート（例えば５．４Ｇｂｐｓ）から第２伝送レート（例えば２．７Ｇｂｐｓ）に切り替えるためのリンクトレーニングを実行する。この場合のリンクトレーニングを第２リンクトレーニングと称す。
【００４９】
リンクトレーニング処理部１２１，２２１は、第２リンクトレーニングを実行する（Ｓ６）。第２リンクトレーニングでは、第１リンクトレーニングと同様に、クロックリカバリＣＲ及びチャンネルイコライジングＥＱにより決定された設定値がＤＰＣＤに書き込まれる。第２リンクトレーニングが正常に終了してリンクアップすると、出力制御部１２３は、第２制御信号ＰＳＲ＿ＯＦＦを埋め込んだ第２映像データを、通信部１３を介して表示装置２０に出力する。これにより、第２制御信号ＰＳＲ＿ＯＦＦが埋め込まれた第２映像データが、第２伝送レート（２．７Ｇｂｐｓ）で表示装置２０に伝送される（Ｓ７）。送信装置１０は、第２制御信号ＰＳＲ＿ＯＦＦを出力すると、ＰＳＲモードを解除して、映像データの出力動作を再開する。
【００５０】
表示装置２０は、第２映像データを受信すると、以下の処理により画像を表示する。
【００５１】
表示装置２０の受信部が第２映像データを受信すると、転送制御部２２３が第２映像データを画像処理部２６に転送する。画像処理部２６は、転送制御部２２３から第２映像データを取得すると、周知の画像処理を実行し、表示パネル２７に出力する。表示パネル２７は、画像処理部２６から第２映像データを取得すると、ソースドライバ及びゲートドライバ（図８参照）の動作によって、第２映像データに対応する第２画像を表示画面に表示する。
【００５２】
上記の構成によれば、表示装置２０の温度が上昇して閾値Ｔｈに達した場合、送信装置１０から表示装置２０に伝送するフレームレートを低くすることにより、映像データの伝送レートを低くすることできるため、表示装置２０の消費電力を低減することができる。また、表示装置２０の発熱量を低減することができるため、表示装置２０の温度上昇を抑えることができる。また、上記伝送レートの変更に伴うリンクトレーニングの期間はメモリ画像が表示されるため、ブラックアウトによる表示品位の低下を抑えることができる。
【００５３】
次に、表示装置２０の温度が低下した場合の処理について、図５を用いて説明する。図５は、表示システム１００におけるデータ伝送処理の他の動作を示すタイミングチャートである。尚、図５は、図４に示す動作に続く動作を示している。
【００５４】
送信装置１０は、第２映像データを第２伝送レート（例えば２．７Ｇｂｐｓ）で伝送し、表示装置２０は、第２映像データに対応する第２画像を表示画面に表示する。送信装置１０から第２伝送レートで伝送された第２映像データに基づいて表示装置２０が第２画像を表示中に、表示装置２０の温度（例えば、ソースドライバＩＣの温度）が低下し、温度センサ２８による測定温度Ｔ０が時刻ｔ２において閾値Ｔｌ（第２閾値）に達した場合（図２参照）、表示システム１００は以下の処理を実行する。
【００５５】
状態検出部２２２は、温度センサ２８から取得した測定温度Ｔ０が閾値Ｔｌ（第２閾値）に達した場合、ローレベルの検出信号ＤＳ（Ｌ）を送信装置１０に出力する（Ｓ８）。尚、送信装置１０が、補助（ＡＵＸ）チャネルにおける通信を利用して上記検出結果（検出信号ＤＳ（Ｌ））を取得してもよい。
【００５６】
送信装置１０は、検出信号ＤＳ（Ｌ）を受信すると、第２伝送レート（例えば２．７Ｇｂｐｓ）を第３伝送レート（例えば５．４Ｇｂｐｓ）に切り替える処理を実行する。具体的には、先ず、出力制御部１２３が、制御信号ＣＳ（第１制御信号ＰＳＲ＿ＯＮ）を埋め込んだ第２映像データを、通信部１３を介して表示装置２０に出力する。これにより、第１制御信号ＰＳＲ＿ＯＮが埋め込まれた第２映像データが表示装置２０に伝送される（Ｓ９）。送信装置１０は、第１制御信号ＰＳＲ＿ＯＮが埋め込まれた第２映像データを出力すると、次フレーム以降の第２映像データの出力動作を停止する（図５のＰＳＲモード）。
【００５７】
表示装置２０が、第１制御信号ＰＳＲ＿ＯＮが埋め込まれた第２映像データを受信すると、転送制御部２２３が、第１制御信号ＰＳＲ＿ＯＮが埋め込まれた第２映像データをフレームメモリ２９に転送する。また転送制御部２２３は、後述する制御信号ＣＳ（第２制御信号ＰＳＲ＿ＯＦＦ）が埋め込まれた新たな映像データ（以下、第３映像データという。）を受信するまで、フレームメモリ２９に記憶されている映像データ（メモリ映像データ）を取得して画像処理部２６に転送する。例えば、転送制御部２２３は、第１制御信号ＰＳＲ＿ＯＮが埋め込まれた第２映像データの１フレーム分の映像データ（第２メモリ映像データ）を画像処理部２６に転送する。
【００５８】
画像処理部２６は、転送制御部２２３から第２メモリ映像データを取得すると、周知の画像処理を実行し、表示パネル２７に出力する。表示パネル２７は、画像処理部２６から第２メモリ映像データを取得すると、ソースドライバ及びゲートドライバ（図８参照）の動作によって、第２メモリ映像データに対応する第２メモリ画像を表示画面に表示する。すなわち、表示装置２０は、ＰＳＲモードの期間、第２メモリ画像を例えば静止画として表示する。尚、第２メモリ画像は、静止画に限定されず動画であってもよい。
【００５９】
表示システム１００は、表示装置２０が第２メモリ画像を表示している期間（ＰＳＲモード）に、映像データの伝送レートを第２伝送レート（例えば２．７Ｇｂｐｓ）から第３伝送レート（例えば５．４Ｇｂｐｓ）に切り替えるためのリンクトレーニングを実行する。この場合のリンクトレーニングを第３リンクトレーニングと称す。
【００６０】
リンクトレーニング処理部１２１，２２１は、第３リンクトレーニングを実行する（Ｓ１０）。第３リンクトレーニングでは、第１及び第２リンクトレーニングと同様に、クロックリカバリＣＲ及びチャンネルイコライジングＥＱにより決定された設定値がＤＰＣＤに書き込まれる。第３リンクトレーニングが正常に終了してリンクアップすると、出力制御部１２３は、第２制御信号ＰＳＲ＿ＯＦＦを埋め込んだ第３映像データを、通信部１３を介して表示装置２０に出力する。これにより、第２制御信号ＰＳＲ＿ＯＦＦが埋め込まれた第３映像データが、第３伝送レート（５．４Ｇｂｐｓ）で表示装置２０に伝送される（Ｓ１１）。送信装置１０は、第２制御信号ＰＳＲ＿ＯＦＦを出力すると、ＰＳＲモードを解除して、映像データの出力動作を再開する。
【００６１】
表示装置２０の受信部が第３映像データを受信すると、転送制御部２２３が第３映像データを画像処理部２６に転送する。画像処理部２６は、転送制御部２２３から第３映像データを取得すると、周知の画像処理を実行し、表示パネル２７に出力する。表示パネル２７は、画像処理部２６から第３映像データを取得すると、ソースドライバ及びゲートドライバ（図８参照）の動作によって、第３映像データに対応する第３画像を表示画面に表示する。
【００６２】
上記の構成によれば、表示装置２０の温度が低下して閾値Ｔｌに達した場合、送信装置１０から表示装置２０に伝送するフレームレートを高くすることにより、映像データの伝送レートを高くすることができる。これにより、表示装置２０の発熱量が増加し、表示装置２０の温度が上昇するため、低温時の誤動作を防ぐことができる。また、上記伝送レートの変更に伴うリンクトレーニングの期間はメモリ画像が表示されるため、ブラックアウトによる表示品位の低下を抑えることができる。尚、上記の構成において、第１伝送レートと第３伝送レートは同一であってもよいし、異なっていてもよい。すなわち、伝送レートの種類は、２つに限定されず、３つ以上でもよい。例えば、表示装置２０の測定温度Ｔ０が高い程、伝送レートを低く設定し、表示装置２０の測定温度Ｔ０が低い程、伝送レートを高く設定してもよい。
【００６３】
以上に示した構成では、第１、第２及び第３リンクトレーニングは同一の内容であるが、本実施形態に係る表示システム１００はこれに限定されない。図６及び図７は、変形例に係る表示システム１００におけるデータ伝送処理の動作を示すタイミングチャートである。尚、図４及び図５に示した処理と同じ処理については説明を省略する。
【００６４】
変形例に係る表示システム１００では、表示システム１００の電源がオンした直後の第１リンクトレーニングにおいて、複数の伝送レートそれぞれに対応する複数のリンクトレーニング（クロックリカバリＣＲ及びチャンネルイコライジングＥＱ）を実行する。例えば、第１伝送レートに対応するリンクトレーニングと、第２伝送レートに対応するリンクトレーニングと、第３伝送レートに対応するリンクトレーニングとを実行する。すなわち、第１リンクトレーニングにおいて、第１伝送レート用の第１設定値、第２伝送レート用の第２設定値、及び第３伝送レート用の第３設定値を決定する。そしてリンクトレーニング処理部１２１は、これらの設定値をメモリ１４に記憶する。その後、第１リンクトレーニングが正常に終了してリンクアップすると、送信装置１０は、第１設定値に基づいて、第１映像データを第１伝送レート（例えば５．４Ｇｂｐｓ）で表示装置２０に伝送する。
【００６５】
その後の第２リンクトレーニングでは、リンクトレーニング処理部１２１がメモリ１４に記憶された第２設定値を取得し、第２設定値を用いてリンクトレーニングを実行する。例えば、第２リンクトレーニングでは、クロックリカバリＣＲが実行され、チャンネルイコライジングＥＱは省略される。第２リンクトレーニングが正常に終了してリンクアップすると、送信装置１０は、第２映像データを第２伝送レート（例えば２．７Ｇｂｐｓ）で表示装置２０に伝送する。これにより、少なくともチャンネルイコライジングＥＱの期間を省略することができるため、図４に示す構成と比較して、第２リンクトレーニングの期間を短縮することができる（図６参照）。
【００６６】
同様に、第３リンクトレーニングでは、リンクトレーニング処理部１２１がメモリ１４に記憶された第３設定値を取得し、第３設定値を用いてリンクトレーニングを実行する。例えば、第３リンクトレーニングでは、クロックリカバリＣＲが実行され、チャンネルイコライジングＥＱは省略される。第３リンクトレーニングが正常に終了してリンクアップすると、送信装置１０は、第３映像データを第３伝送レート（例えば５．４Ｇｂｐｓ）で表示装置２０に伝送する。これにより、少なくともチャンネルイコライジングＥＱの期間を省略することができるため、図４に示す構成と比較して、第３リンクトレーニングの期間を短縮することができる（図７参照）。
【００６７】
上記変形例に係る構成によれば、伝送レートを切り替えたときのリンクトレーニングの期間を短縮することができるため、図４に示す構成と比較して、伝送レートを切り替えた直後の画像表示タイミングを速めることができる。
【００６８】
本実施形態に係る表示システム１００は、上記変形例に示す構成に限定されず、例えば、図４及び図５に示す第１、第２及び第３リンクトレーニングにおいて決定された設定値（第１設定値、第２設定値、及び第３設定値）をそれぞれのリンクトレーニングが終了したときに記憶しておき、その後、同一のリンクトレーニングを実行する際には以前に記憶された設定値を取得してリンクトレーニングを実行する構成としてもよい。これにより、２回目以降のリンクトレーニングでは、その期間を短縮することができる。
【００６９】
上記表示装置２０は、液晶表示装置に適用することができる。図８は、液晶表示装置の概略構成を示す平面図である。
【００７０】
液晶表示装置１は、ソースドライバ２と、ゲートドライバ３と、液晶パネル４と、タイミングコントローラ５と、を含んでいる。ソースドライバ２及びゲートドライバ３は、例えば液晶パネル４に搭載されている。
【００７１】
液晶パネル４は、ＴＦＴ基板（薄膜トランジスタ基板）（図示せず）と、ＣＦ基板（カラーフィルタ基板）（図示せず）と、両基板間に挟持された液晶層ＬＣとを含んで構成されている。ＴＦＴ基板には、ソースドライバ２に接続された複数のソース線ＳＬと、ゲートドライバ３に接続された複数のゲート線ＧＬとが設けられている。ソース線ＳＬとゲート線ＧＬとの各交差部には薄膜トランジスタＴＦＴが設けられている。また、液晶パネル４には、各交差部に対応して、複数の画素がマトリクス状（行方向及び列方向）に配置されている。さらに、液晶パネル４は、各画素に対応して、画素電極ＰＩＴと共通電極ＣＩＴとを含んでいる。液晶パネル４は、ゲート線ＧＬに供給されるゲート信号Ｇｖにより薄膜トランジスタＴＦＴをオン状態にして、ソース線ＳＬを介して画素電極ＰＩＴに印加される階調電圧（ソース信号）に応じて、表示画面に画像を表示する。なお、ソースドライバ２及びゲートドライバ３は、ＴＦＴ基板上に形成されていてもよい。液晶パネル４は、上記構成に限定されず、周知の構成を適用することができる。図１に示すeDP_I/F２１と、制御部２２と、通信部２３と、メモリ２４と、記憶部２５と、画像処理部２６と、フレームメモリ２９とは、タイミングコントローラ５に含まれてもよい。
【００７２】
上述した表示システム１００は、ＰＳＲ機能を利用して伝送レート切り替え期間（リンクトレーニング期間）の画像表示を行っているが、本発明の表示システム１００は、これに限定されない。ＰＳＲ機能を有しない表示システム１００であっても、第１制御信号ＰＳＲ＿ＯＮ（PSR_entry）及び第２制御信号ＰＳＲ＿ＯＦＦ）（PSR_exit）に相当する上記制御信号ＣＳに基づいて通常モード及び静止画モードを相互に切り替える構成とすることにより、ＰＳＲ機能を有する表示システム１００と同様の構成を実現することができる。
【００７３】
本発明に係る表示システム１００は上記構成に限定されない。例えば、送信装置１０は、表示装置２０に搭載されたバッテリの残量に応じて映像データの伝送レートを切り替えてもよい。具体的には例えば、表示装置２０（例えばバッテリ駆動式ノートパソコン）の状態検出部２２２が、表示装置２０のバッテリ残量を取得し、バッテリ残量が第１閾値（下限値）に達すると、ハイレベル（Ｈ）の検出信号ＤＳ（Ｈ）を送信装置１０に出力し、バッテリ残量が第２閾値（上限値）に達すると、ローレベル（Ｌ）の検出信号ＤＳ（Ｌ）を送信装置１０に出力する。送信装置１０の伝送レート設定部１２２は、検出信号ＤＳ（Ｈ）を取得すると、第１伝送レート（例えば５．４Ｇｂｐｓ）を第２伝送レート（例えば２．７Ｇｂｐｓ）に切り替え、検出信号ＤＳ（Ｌ）を取得すると、第２伝送レートを第１伝送レートに切り替える。この構成によれば、例えば表示装置２０のバッテリ残量が減少した場合に、フレームレートを低くすることにより、映像データの伝送レートを低くすることできるため、表示装置２０の消費電力を低減することができる。
【００７４】
また、上記表示システム１００において、転送制御部２２３は、送信装置１０から受信した映像データをフレームメモリ２９と画像処理部２６とに転送してもよい。この場合、フレームメモリ２９は、送信装置１０から受信した映像データを１フレーム毎に記憶する。そして転送制御部２２３は、第１制御信号ＰＳＲ＿ＯＮが埋め込まれた映像データを受信すると、フレームメモリ２９に記憶されている映像データを画像処理部２６に転送する。
【００７５】
また、上記表示システム１００において、温度センサ２８は、送信装置１０に設けられてもよい。
【００７６】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００７７】
１００  表示システム、１０  送信装置、１１，２１  eDP_I/F、１２，２２  制御部、１３，２３  通信部、１４，２４  メモリ、１５，２５  記憶部、１２１，２２１  リンクトレーニング処理部、１２２  伝送レート設定部、１２３  出力制御部、２０  表示装置、２６  画像処理部、２７  表示パネル、２８  温度センサ、２９  フレームメモリ、２２２  状態検出部、２２３  転送制御部、１  液晶表示装置、２  ソースドライバ、３  ゲートドライバ、４  液晶パネル、５  タイミングコントローラ。
【図１】
2018112720.tif 000003
【図２】
2018112720.tif 000004
【図３】
2018112720.tif 000005
【図４】
2018112720.tif 000006
【図５】
2018112720.tif 000007
【図６】
2018112720.tif 000008
【図７】
2018112720.tif 000009
【図８】
2018112720.tif 000010